【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ポイント・オブ・ケアＰＯＣテスティングシステム（１）の構成のための方法であって、
一または複数の患者のサンプルを分析するための一または複数のＰＯＣ分析器（１０．１〜１０．ｎ）を提供する工程、
前記ポイント・オブ・ケアＰＯＣテスティングシステム（１）の一または複数のオペレーターに対応する一または複数のオペレーター識別子を提供する工程、
携帯型演算装置（２０）を提供する工程、
それぞれが前記一または複数のＰＯＣ分析器（１０．１〜１０．ｎ）に対応する一または複数のシステム証明書（３０．１〜３０．ｍ）を保存するためのサーバー（５０）を提供する工程、
通信ネットワーク（７０）を介して、前記一または複数のＰＯＣ分析器（１０．１〜１０．ｎ）および前記携帯型演算装置（２０）を前記サーバー（５０）に通信可能に接続する工程、
前記携帯型演算装置（２０）のユーザーインターフェース（２２）を介して前記一または複数のシステム証明書（３０．１〜３０．ｍ）を選択する工程、
前記携帯型演算装置（２０）が前記一または複数のオペレーター識別子を用いて前記一または複数のオペレーターを識別する工程、
前記携帯型演算装置（２０）のユーザーインターフェース（２２）を介して証明書構成コマンドを受信する工程、
前記携帯型演算装置（２０）が、識別されたオペレーターに対応する前記一または複数のオペレーター識別子と、選択された前記システム証明書（３０．１〜３０．ｍ）を識別するデータとを含む証明書構成リクエストを生成する工程、
前記携帯型演算装置（２０）が、前記証明書構成リクエストを前記サーバー（５０）に伝達する工程、
前記サーバー（５０）が、前記構成リクエストを受信する工程、
前記サーバー（５０）が、前記証明書構成リクエストにしたがって前記選択されたシステム証明書（３０．１〜３０．ｍ）をアップデートする工程、
前記サーバー（５０）が、対応する前記ＰＯＣ分析器（１０．１〜１０．ｎ）に前記選択されたシステム証明書（３０．１〜３０．ｍ）のそれぞれのための分析器証明書アップデートを伝達する工程、
前記一または複数のＰＯＣ分析器（１０．１〜１０．ｎ）が、分析器証明書アップデートを受信する工程、
前記一または複数のＰＯＣ分析器（１０．１〜１０．ｎ）が、前記分析器証明書アップデートにしたがって各々の分析器証明書をアップデートする工程
を含むポイント・オブ・ケアＰＯＣテスティングシステム（１）の構成のための方法。
【請求項２】
前記携帯型演算装置（２０）によって前記サーバー（５０）に伝達される前記証明書構成リクエストが、
前記識別されたオペレーターに対応するオペレーターステータスの追加、および／または
前記識別されたオペレーターに対応するオペレーターステータスの削除、および／または
前記識別されたオペレーターに対応するオペレーターステータスのアップデート
のうちの一または複数を含む請求項１記載のポイント・オブ・ケアＰＯＣテスティングシステム（１）の構成のための方法。
【請求項３】
前記サーバー（５０）によって前記対応するＰＯＣ分析器（１０．１〜１０．ｎ）に伝達される前記分析器証明書アップデートが、
それぞれの前記ＰＯＣ分析器（１０．１〜１０．ｎ）へのアクセスが許可されるべき前記識別されたオペレーターに対応する一または複数のオペレーター識別子、および／または
それぞれの前記ＰＯＣ分析器（１０．１〜１０．ｎ）へのアクセスが却下されるべき前記識別されたオペレーターに対応する一または複数のオペレーター識別子、および／または
それぞれの前記ＰＯＣ分析器（１０．１〜１０．ｎ）への制限されたアクセスが許可されるべき前記識別されたオペレーターに対応する一または複数のオペレーター識別子
のうちの一または複数を含む請求項１または２記載のポイント・オブ・ケアＰＯＣテスティングシステム（１）の構成のための方法。
【請求項４】
前記サーバー（５０）が、前記対応するＰＯＣ分析器（１０．１〜１０．ｎ）に、前記選択されたシステム証明書（３０．１〜３０．ｍ）のそれぞれに関する分析器証明書アップデートを伝達する工程、前記一または複数のＰＯＣ分析器（１０．１〜１０．ｎ）が、前記分析器証明書アップデートを受信する工程、前記一または複数のＰＯＣ分析器（１０．１〜１０．ｎ）が、前記分析器証明書アップデートにしたがってそれぞれの分析器証明書をアップデートする工程が、
前記分析器証明書アップデートを要求する前記一または複数のＰＯＣ分析器（１０．１〜１０．ｎ）によって開始される請求項１〜３のいずれか１項に記載のポイント・オブ・ケアＰＯＣテスティングシステム（１）の構成のための方法。
【請求項５】
前記一または複数のＰＯＣ分析器（１０．１〜１０．ｎ）が、特定の事象の発生時および／または一定の間隔で前記分析器証明書アップデートを要求する請求項４記載のポイント・オブ・ケアＰＯＣテスティングシステム（１）の構成のための方法。
【請求項６】
前記選択されたシステム証明書（３０．１〜３０．ｍ）に対応する一または複数の証明書基準を前記サーバー（５０）上に保存する工程、
前記証明書構成コマンドを受信する工程内での、ユーザーインターフェース（２２）を介する前記一または複数の証明書基準の選択、
前記携帯型演算装置（２０）が前記証明書構成リクエストの中に前記一または複数の証明書基準を含める工程、
前記一または複数のＰＯＣ分析器（１０．１〜１０．ｎ）が、前記選択されたシステム証明書（３０．１〜３０．ｍ）の前記一または複数の証明書基準にしたがって、前記識別されたオペレーターのそれぞれの前記ＰＯＣ分析器（１０．１〜１０．ｎ）へのアクセスを制限する工程
をさらに含む請求項１〜５のいずれか１項に記載のポイント・オブ・ケアＰＯＣテスティングシステム（１）の構成のための方法。
【請求項７】
前記一または複数のオペレーター識別子が識別子タグであり、および
前記携帯型演算装置（２０）が識別子リーダーを備える請求項１〜６のいずれか１項に記載のポイント・オブ・ケアＰＯＣテスティングシステム（１）の構成のための方法。
【請求項８】
前記携帯型演算装置（２０）によって前記サーバー（５０）から前記一または複数のシステム証明書（３０．１〜３０．ｍ）を取得する工程をさらに含む請求項１〜７のいずれか１項に記載のポイント・オブ・ケアＰＯＣテスティングシステム（１）の構成のための方法。
【請求項９】
前記一または複数のシステム証明書（３０．１〜３０．ｍ）が、前記一または複数のＰＯＣ分析器（１０．１〜１０．ｎ）の一群の承認されたオペレーターのリストを備える請求項１〜８のいずれか１項に記載のポイント・オブ・ケアＰＯＣテスティングシステム（１）の構成のための方法。
【請求項１０】
前記分析器証明書アップデートが、それぞれのＰＯＣ分析器（１０．１〜１０．ｎ）に特有に承認されているオペレーターのリストを備える請求項１〜９のいずれか１項に記載のポイント・オブ・ケアＰＯＣテスティングシステム（１）の構成のための方法。
【請求項１１】
ポイント・オブ・ケアＰＯＣテスティングシステム（１）であって、
一または複数の患者のサンプルを分析するための一または複数のＰＯＣ分析器（１０．１〜１０．ｎ）であって、前記ＰＯＣ分析器（１０．１〜１０．ｎ）を識別するための分析器識別子をそれぞれ備えるＰＯＣ分析器（１０．１〜１０．ｎ）と、
前記一または複数のＰＯＣ分析器（１０．１〜１０．ｎ）にそれぞれ対応する、一または複数のシステム証明書（３０．１〜３０．ｍ）を保存するためのサーバー（５０）と、
一または複数のオペレーター識別子を用いて、前記ポイント・オブ・ケアＰＯＣテスティングシステム（１）の一または複数のオペレーターを識別するように構成されている携帯型演算装置（２０）と、
前記一または複数のＰＯＣ分析器（１０．１〜１０．ｎ）および前記携帯型演算装置（２０）を前記サーバー（５０）に通信可能に接続するように構成されている通信ネットワーク（７０）と
を含み、
前記携帯型演算装置（２０）が、一または複数のシステム証明書（３０．１〜３０．ｍ）の選択を可能にするように構成されているユーザーインターフェース（２２）を備え、
前記携帯型演算装置（２０）が、前記ユーザーインターフェース（２２）を介して証明書構成コマンドを受信するようにさらに構成され、
前記携帯型演算装置（２０）が、識別されたオペレーターに対応する前記一または複数のオペレーター識別子と、選択された前記システム証明書（３０．１〜３０．ｍ）を識別するデータとを含む証明書構成リクエストを生成し、および前記サーバー（５０）に伝達するようにさらに構成され、
前記サーバー（５０）が、前記構成リクエストを受信するように構成され、
前記サーバー（５０）が、前記証明書構成リクエストにしたがって前記選択されたシステム証明書（３０．１〜３０．ｍ）を前記サーバー（５０）内でアップデートするように構成され、
前記サーバー（５０）が、対応する前記ＰＯＣ分析器（１０．１〜１０．ｎ）に前記選択されたシステム証明書（３０．１〜３０．ｍ）のそれぞれのための分析器証明書アップデートを伝達するように構成され、
前記一または複数のＰＯＣ分析器（１０．１〜１０．ｎ）が、分析器証明書アップデートを受信するように、および、前記分析器証明書アップデートにしたがって各々の分析器証明書をアップデートするように構成されているポイント・オブ・ケアＰＯＣテスティングシステム（１）。
【請求項１２】
前記携帯型演算装置（２０）によって前記サーバー（５０）に伝達される前記証明書構成リクエストが、
前記識別されたオペレーターに対応するオペレーターステータスの追加、および／または
前記識別されたオペレーターに対応するオペレーターステータスの削除、および／または
前記識別されたオペレーターに対応するオペレーターステータスのアップデート
のうちの一または複数を含む請求項１１記載のポイント・オブ・ケアＰＯＣテスティングシステム（１）。
【請求項１３】
前記サーバー（５０）によって前記対応するＰＯＣ分析器（１０．１〜１０．ｎ）に伝達される前記分析器証明書アップデートが、
それぞれの前記ＰＯＣ分析器（１０．１〜１０．ｎ）へのアクセスが許可されるべき前記識別されたオペレーターに対応する一または複数のオペレーター識別子、および／または
それぞれの前記ＰＯＣ分析器（１０．１〜１０．ｎ）へのアクセスが却下されるべき前記識別されたオペレーターに対応する一または複数のオペレーター識別子、および／または
それぞれの前記ＰＯＣ分析器（１０．１〜１０．ｎ）への制限されたアクセスが許可されるべき前記識別されたオペレーターに対応する一または複数のオペレーター識別子
のうちの一または複数を含む請求項１１または１２記載のポイント・オブ・ケアＰＯＣテスティングシステム（１）。
【請求項１４】
前記一または複数のＰＯＣ分析器（１０．１〜１０．ｎ）が、特定の事象の発生時および／または一定の間隔で前記分析器証明書アップデートを要求するように構成されている請求項１１〜１３のいずれか１項に記載のポイント・オブ・ケアＰＯＣテスティングシステム（１）。
【請求項１５】
前記携帯型演算装置（２０）が、前記サーバー（５０）から、前記一または複数のシステム証明書（３０．１〜３０．ｍ）および／または前記一または複数のシステム証明書（３０．１〜３０．ｍ）のリストを要求するように構成され、および／または
前記サーバー（５０）が、前記一または複数のシステム証明書（３０．１〜３０．ｍ）および／または前記一または複数のシステム証明書（３０．１〜３０．ｍ）のリストを前記携帯型演算装置（２０）に伝達するように構成されている請求項１１〜１４のいずれか１項に記載のポイント・オブ・ケアＰＯＣテスティングシステム（１）。